(57)【要約】【課題】制御機器により、ネットワークを介して電源起動を含む制御を受ける外部機器において、スタンバイ状態における消費電力を抑制する。【解決手段】第１と第２の２つネットワークで接続された制御機器と外部機器とで電源起動制御機能を備えたネットワーク装置を構成し、制御機器は、ＣＰＵを搭載したデバイスを活用することなく電源を起動させることが可能な第１のネットワークを介し、外部機器に対し電源起動のコマンドを送信し、外部機器の電源を立ち上げた後は、第２のネットワークによりコマンドを送信して外部機器の制御を行う。【選択図】図１
2010206675.tif 000002
【特許請求の範囲】
【請求項１】
少なくとも１つの制御機器と少なくとも１つの外部機器とで構成され、前記制御機器が少なくとも２つのネットワーク（第１のネットワークと第２のネットワーク）を介して前記外部機器の制御を行う電源起動制御機能を備えたネットワーク装置であって、
前記制御機器は、前記第１のネットワークを介して前記外部機器と通信を行う通信手段Ａ１と、ＣＰＵを搭載したデバイスを有し、前記第２のネットワークを介して前記外部機器と通信を行う通信手段Ａ２を備え、
前記外部機器は、前記第１のネットワークを介して前記制御機器と通信を行う通信手段Ｂ１と、ＣＰＵを搭載したデバイスを有し、前記第２のネットワークを介して前記制御機器と通信を行う通信手段Ｂ２と、前記外部機器における電源供給範囲を制御する電源制御手段を備え、
前記第１のネットワークは、前記制御機器が前記通信手段Ａ１および前記通信手段Ａ２を介して、スタンバイ状態にある前記外部機器の電源を、ＣＰＵを搭載したデバイスを活用することなく起動させることが可能な機能を備え、
前記第２のネットワークは、前記制御機器が、前記通信手段Ｂ１および前記通信手段Ｂ２を介して前記外部機器に対し、スタンバイ状態からの電源起動を含む制御を行うことが可能な機能を備え、
前記制御機器は、前記外部機器が前記電源制御手段により電源供給範囲が予め定められた範囲に限定されたスタンバイ状態にあるとき、前記第１のネットワークを用いて電源起動を指示するコマンドを送信して電源を起動させ、前記外部機器の電源が起動した後は、前記第２のネットワークを用いて前記外部機器を制御することを特徴とする電源起動制御機能を備えたネットワーク装置。
【請求項２】
前記制御機器は、前記第２のネットワークを用いて前記外部機器に対し、前記外部機器が前記第１のネットワークによる電源起動の機能を有しているか否かを確認し、前記第１のネットワークによる電源起動の機能を有していることを確認した場合は、前記外部機器の電源を前記第１のネットワークを用いて起動させるモードに設定し、前記第１のネットワークによる電源起動の機能を有していないことを確認した場合は、前記外部機器の電源を前記第２のネットワークを用いて起動させるモードに設定することを特徴とする請求項１記載の電源起動制御機能を備えたネットワーク装置。
【請求項３】
前記制御機器は、前記第２のネットワークを用いて前記外部機器に対し、前記外部機器が前記第１のネットワークによる電源起動の機能を有しているか否かを確認する際に、前記外部機器から前記第１のネットワークを用いた通信に必要となるアドレス情報を取得することを特徴とする請求項２記載の電源起動制御機能を備えたネットワーク装置。
【請求項４】
前記制御機器は、前記第１のネットワークを用いて前記外部機器の電源起動を指示するコマンドを送信する際に、事前に前記外部機器と前記第１のネットワークで接続されているか否かの接続確認を行い、接続されていないことが確認された場合には、前記第２のネットワークを用いて前記外部機器に対し電源起動の制御を行うことを特徴とする請求項１記載の電源起動制御機能を備えたネットワーク装置。
【請求項５】
少なくとも１つの制御機器と少なくとも１つの外部機器とで構成され、前記制御機器が少なくとも２つのネットワーク（第１のネットワークと第２のネットワーク）を介して前記外部機器の制御を行う電源起動制御機能を備えたネットワーク装置であって、
前記制御機器は、前記第１のネットワークを介して前記外部機器と通信を行う通信手段Ａ１と、ＣＰＵを搭載したデバイスを有し、前記第２のネットワークを介して前記外部機器と通信を行う通信手段Ａ２を備え、
前記外部機器は、前記第１のネットワークを介して前記制御機器と通信を行う通信手段Ｂ１と、ＣＰＵを搭載したデバイスを有し、前記第２のネットワークを介して前記制御機器と通信を行う通信手段Ｂ２と、前記外部機器における電源供給範囲を制御する電源制御手段を備え、
前記第１のネットワークは、前記制御機器が前記通信手段Ａ１および前記通信手段Ａ２を介して、スタンバイ状態にある前記外部機器の電源を、ＣＰＵを搭載したデバイスを活用することなく起動させることが可能な機能を備え、
前記第２のネットワークは、前記制御機器が、前記通信手段Ｂ１および前記通信手段Ｂ２を介して前記外部機器に対し、スタンバイ状態からの電源起動を含む制御を行うことが可能な機能を備え、
前記外部装置は、前記電源制御手段により電源供給範囲が予め定められた範囲に限定されたスタンバイ状態にあるとき、前記制御機器から前記第１のネットワークを介して電源起動を指示するコマンドを受信して電源を起動させ、電源が起動した後は、前記制御機器から前記第２のネットワークを介して制御されることを特徴とする電源起動制御機能を備えたネットワーク装置。
【請求項６】
前記外部機器は、前記第２のネットワークを用いて前記制御機器に対し、前記制御機器が前記第１のネットワークによる電源起動の機能を有しているか否かを確認し、前記第１のネットワークによる電源起動の機能を有していることを確認した場合は、電源起動を前記第１のネットワークを用いるモードに設定し、前記第１のネットワークによる電源起動の機能を有していないことを確認した場合は、電源起動を前記第２のネットワークを用いるモードに設定することを特徴とする請求項５記載の電源起動制御機能を備えたネットワーク装置。
【請求項７】
前記電源制御手段は、前記制御機器が前記第１のネットワークによる電源起動の機能を有していることを確認した場合は、前記電源供給範囲を、前記通信手段Ａ２および前記電源制御手段に限定し、前記制御機器が前記第１のネットワークによる電源起動の機能を有していないことを確認した場合は、前記電源供給範囲を、前記ＣＰＵを搭載したデバイスを含む前記通信手段Ｂ２の一部または全部、および前記電源制御手段に限定することを特徴とする請求項６記載の電源起動制御機能を備えたネットワーク装置。
【請求項８】
前記外部機器は、前記第２のネットワークを用いて前記制御機器に対し、前記制御機器が前記第１のネットワークによる電源起動の機能を有しているか否かを確認する際に、前記制御機器に対して、前記第１のネットワークを用いた通信に必要となるアドレス情報を送信することを特徴とする請求項６記載の電源起動制御機能を備えたネットワーク装置。
【請求項９】
前記外部装置は、前記電源制御手段により電源供給範囲が予め定められた範囲に限定されたスタンバイ状態にあるとき、前記通信手段Ａ２が、前記制御機器から前記第１のネットワークを介して送信される電源起動を指示するコマンドの受信の有無を監視する際に、前記第１のネットワークにより前記制御機器と接続されているか否かの確認を行い、接続されていることが確認された場合には、引き続き電源起動を指示するコマンドの受信の有無を監視し、接続されていないことが確認された場合には、前記通信手段Ｂ２により前記第２のネットワークを用いた前記制御機器からの電源起動を指示するコマンドの受信を可能とすることを特徴とする請求項５記載の電源起動制御機能を備えたネットワーク装置。
【請求項１０】
前記通信手段Ａ２により、前記制御機器と前記第１のネットワークで接続されていないことが確認された場合には、前記電源制御手段は、前記電源供給範囲を前記通信手段Ａ２および前記電源制御手段に限定した状態から、前記ＣＰＵを搭載したデバイスを含む前記通信手段Ｂ２の一部または全部を包含する範囲に拡大させ、前記通信手段Ａ２により、再び前記制御機器と前記第１のネットワークで接続されていることが確認された場合には、前記電源供給範囲を再び元の前記通信手段Ａ２および前記電源制御手段に限定した状態に戻すことを特徴とする請求項９記載の電源起動制御機能を備えたネットワーク装置。
【請求項１１】
前記第１のネットワークは、ＬＡＮ（Ｌｏｃａｌ  Ａｒｅａ  Ｎｅｔｗｏｒｋ）であり、電源起動を指示するコマンドは、ＷＯＬ（Ｗａｋｅ  Ｏｎ  Ｌａｎ）パケットであることを特徴とする請求項１乃至１０のいずれかに記載の電源起動制御機能を備えたネットワーク装置。
【請求項１２】
前記第２のネットワークは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）であることを特徴とする請求項１乃至１０のいずれかに記載の電源起動制御機能を備えたネットワーク装置。
【請求項１３】
前記制御機器が、前記外部機器と前記第１のネットワークで接続されているか否かを確認する際の接続確認の手段、および、前記外部機器が、前記制御機器と前記第１のネットワークで接続されているか否かを確認する際の接続確認の手段は、Ｌｉｎｋｕｐによる物理層の通信確認による手段、または、Ｐｉｎｇによるパケット送受信確認による手段であることを特徴とする請求項４または９に記載の電源起動制御機能を備えたネットワーク装置。
【発明の詳細な説明】
【技術分野】
【０００１】
本発明は、互いに複数のネットワークで接続される制御機器と外部機器とで構成されるネットワーク装置における電源起動制御技術に関するものである。
【背景技術】
【０００２】
近年、ＡＶ（Ａｕｄｉｏ  ａｎｄ  Ｖｉｓｕａｌ）機器間をデジタル接続する為のデジタルインターフェースの一つとして、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）が普及している。
【０００３】
ＨＤＭＩは、ＰＣ（Ｐｅｒｓｏｎａｌ  Ｃｏｍｐｕｔｅｒ）とディスプレイの接続標準規格であるＤＶＩ（Ｄｉｇｉｔａｌ  Ｖｉｓｕａｌ  Ｉｎｔｅｒｆａｃｅ）に音声伝送機能や著作権保護機能を加えて、ＡＶ機器向けにアレンジしたものとなっている。更に、ＨＤＭＩを介して機器間の制御信号が双方向で伝送できる為、ＨＤＭＩで接続されている外部機器を操作することも可能となる。
【０００４】
そのような外部機器を操作することができる機能の中に電源起動やスタンバイ制御も含まれているが、ＨＤＭＩを介してモニタ（表示手段）を備えた外部機器の電源を起動する際に、電源起動制御によって機器全体の電源が投入され、不必要なモニタ画面の電源が入ってしまうことを回避することにより、消費電力の抑制を図る発明が特許文献１に開示されている。
【０００５】
以下に、図８を用いて、特許文献１に開示されている従来の電源起動制御機能を備えたネットワーク装置８００の構成について簡単に説明する。なお、図８は、特許文献１に開示されている従来の電源起動制御機能を備えたネットワーク装置の構成を示すブロック図である。
【０００６】
図８において、ネットワーク装置８００は、少なくとも表示手段８１３とメイン機能手段８１４を含むその他の機能手段とを独立に電源制御する電源制御手段８１２と、ネットワークおよびネットワークＩ／Ｆ手段８１０を介して送信される電源投入要求を検知すると、電源制御手段８１２に電源投入信号を出力する電源投入要求検知手段８１１と、他のネットワーク装置に制御コマンドで自身を制御させる少なくとも表示手段８１３を使用する機能を含むネットワーク機能を提供し、表示手段８１３を使用する機能に対応する制御コマンドの受信を検知した場合に、電源制御手段８１２に電源投入信号を出力するコンテンツ受信再生手段８１５およびコンテンツ配信手段８１６に包含される制御コマンド検知手段を備え、電源投入信号の入力元で電源投入する機能を判断し、ネットワークおよびネットワークＩ／Ｆ手段８１０経由で電源投入要求を検知した場合は、メイン機能手段８１４を含む表示手段８１３以外の機能手段の電源だけを投入し、制御コマンド検知手段がモニタ画面（表示手段８１３）を使用する機能を要求するコマンドを検知した場合は、モニタ画面（表示手段８１３）の電源を投入するというものである。
【特許文献１】特開２００８−９８７９１号公報
【発明の開示】
【発明が解決しようとする課題】
【０００７】
しかしながら、ネットワークを介しＨＤＭＩで送受信されるコマンドの解析は、通常はマイコンなどのＣＰＵ（Ｃｅｎｔｒａｌ  Ｐｒｏｃｅｓｓｉｎｇ  Ｕｎｉｔ）を搭載したデバイスで行われるため、特許文献１に開示されている従来の方法においては、ＨＤＭＩを通じて外部機器の電源起動制御を行う際には、スタンバイ状態にある外部機器のマイコンは電源が供給されている必要があるが、このマイコンは他のデバイスよりも多くの消費電力を要するという課題が存在する。
【０００８】
本発明は、このような課題に鑑みてなされたものであり、マイコンなどのＣＰＵを搭載したデバイスを用いずに電源起動のコマンド検知を行う機能を備え、消費電力を抑制した状態で外部機器の電源起動を行うことができる電源起動制御機能を備えたネットワーク装置を提供することを目的とする。
【課題を解決するための手段】
【０００９】
上記目的を達成するために、本願の第１の発明の電源起動制御機能を備えたネットワーク装置は、少なくとも１つの制御機器と少なくとも１つの外部機器とで構成され、前記制御機器が少なくとも２つのネットワーク（第１のネットワークと第２のネットワーク）を介して前記外部機器の制御を行う電源起動制御機能を備えたネットワーク装置であって、
前記制御機器は、前記第１のネットワークを介して前記外部機器と通信を行う通信手段Ａ１と、ＣＰＵを搭載したデバイスを有し、前記第２のネットワークを介して前記外部機器と通信を行う通信手段Ａ２を備え、前記外部機器は、前記第１のネットワークを介して前記制御機器と通信を行う通信手段Ｂ１と、ＣＰＵを搭載したデバイスを有し、前記第２のネットワークを介して前記制御機器と通信を行う通信手段Ｂ２と、前記外部機器における電源供給範囲を制御する電源制御手段を備え、前記第１のネットワークは、前記制御機器が前記通信手段Ａ１および前記通信手段Ａ２を介して、スタンバイ状態にある前記外部機器の電源を、ＣＰＵを搭載したデバイスを活用することなく起動させることが可能な機能を備え、前記第２のネットワークは、前記制御機器が、前記通信手段Ｂ１および前記通信手段Ｂ２を介して前記外部機器に対し、スタンバイ状態からの電源起動を含む制御を行うことが可能な機能を備え、前記制御機器は、前記外部機器が前記電源制御手段により電源供給範囲が予め定められた範囲に限定されたスタンバイ状態にあるとき、前記第１のネットワークを用いて電源起動を指示するコマンドを送信して電源を起動させ、前記外部機器の電源が起動した後は、前記第２のネットワークを用いて前記外部機器を制御することを特徴とするものである。
【００１０】
また、本願の第２の発明の電源起動制御機能を備えたネットワーク装置は、本願の第１の発明の電源起動制御機能を備えたネットワーク装置において、前記制御機器は、前記第２のネットワークを用いて前記外部機器に対し、前記外部機器が前記第１のネットワークによる電源起動の機能を有しているか否かを確認し、前記第１のネットワークによる電源起動の機能を有していることを確認した場合は、前記外部機器の電源を前記第１のネットワークを用いて起動させるモードに設定し、前記第１のネットワークによる電源起動の機能を有していないことを確認した場合は、前記外部機器の電源を前記第２のネットワークを用いて起動させるモードに設定することを特徴とするものである。
【００１１】
また、本願の第３の発明の電源起動制御機能を備えたネットワーク装置は、本願の第２の発明の電源起動制御機能を備えたネットワーク装置において、前記制御機器は、前記第２のネットワークを用いて前記外部機器に対し、前記外部機器が前記第１のネットワークによる電源起動の機能を有しているか否かを確認する際に、前記外部機器から前記第１のネットワークを用いた通信に必要となるアドレス情報を取得することを特徴とするものである。
【００１２】
また、本願の第４の発明の電源起動制御機能を備えたネットワーク装置は、本願の第１の発明の電源起動制御機能を備えたネットワーク装置において、前記制御機器は、前記第１のネットワークを用いて前記外部機器の電源起動を指示するコマンドを送信する際に、事前に前記外部機器と前記第１のネットワークで接続されているか否かの接続確認を行い、接続されていないことが確認された場合には、前記第２のネットワークを用いて前記外部機器に対し電源起動の制御を行うことを特徴とするものである。
【００１３】
また、本願の第５の発明の電源起動制御機能を備えたネットワーク装置は、少なくとも１つの制御機器と少なくとも１つの外部機器とで構成され、前記制御機器が少なくとも２つのネットワーク（第１のネットワークと第２のネットワーク）を介して前記外部機器の制御を行う電源起動制御機能を備えたネットワーク装置であって、前記制御機器は、前記第１のネットワークを介して前記外部機器と通信を行う通信手段Ａ１と、ＣＰＵを搭載したデバイスを有し、前記第２のネットワークを介して前記外部機器と通信を行う通信手段Ａ２を備え、前記外部機器は、前記第１のネットワークを介して前記制御機器と通信を行う通信手段Ｂ１と、ＣＰＵを搭載したデバイスを有し、前記第２のネットワークを介して前記制御機器と通信を行う通信手段Ｂ２と、前記外部機器における電源供給範囲を制御する電源制御手段を備え、前記第１のネットワークは、前記制御機器が前記通信手段Ａ１および前記通信手段Ａ２を介して、スタンバイ状態にある前記外部機器の電源を、ＣＰＵを搭載したデバイスを活用することなく起動させることが可能な機能を備え、前記第２のネットワークは、前記制御機器が、前記通信手段Ｂ１および前記通信手段Ｂ２を介して前記外部機器に対し、スタンバイ状態からの電源起動を含む制御を行うことが可能な機能を備え、前記外部装置は、前記電源制御手段により電源供給範囲が予め定められた範囲に限定されたスタンバイ状態にあるとき、前記制御機器から前記第１のネットワークを介して電源起動を指示するコマンドを受信して電源を起動させ、電源が起動した後は、前記制御機器から前記第２のネットワークを介して制御されることを特徴とするものである。
【００１４】
また、本願の第６の発明の電源起動制御機能を備えたネットワーク装置は、本願の第５の発明の電源起動制御機能を備えたネットワーク装置において、前記外部機器は、前記第２のネットワークを用いて前記制御機器に対し、前記制御機器が前記第１のネットワークによる電源起動の機能を有しているか否かを確認し、前記第１のネットワークによる電源起動の機能を有していることを確認した場合は、電源起動を前記第１のネットワークを用いるモードに設定し、前記第１のネットワークによる電源起動の機能を有していないことを確認した場合は、電源起動を前記第２のネットワークを用いるモードに設定することを特徴とするものである。
【００１５】
また、本願の第７の発明の電源起動制御機能を備えたネットワーク装置は、本願の第６の発明の電源起動制御機能を備えたネットワーク装置において、前記電源制御手段は、前記制御機器が前記第１のネットワークによる電源起動の機能を有していることを確認した場合は、前記電源供給範囲を、前記通信手段Ａ２および前記電源制御手段に限定し、前記制御機器が前記第１のネットワークによる電源起動の機能を有していないことを確認した場合は、前記電源供給範囲を、前記ＣＰＵを搭載したデバイスを含む前記通信手段Ｂ２の一部または全部、および前記電源制御手段に限定することを特徴とするものである。
【００１６】
また、本願の第８の発明の電源起動制御機能を備えたネットワーク装置は、本願の第６の発明の電源起動制御機能を備えたネットワーク装置において、前記外部機器は、前記第２のネットワークを用いて前記制御機器に対し、前記制御機器が前記第１のネットワークによる電源起動の機能を有しているか否かを確認する際に、前記制御機器に対して、前記第１のネットワークを用いた通信に必要となるアドレス情報を送信することを特徴とするものである。
【００１７】
また、本願の第９の発明の電源起動制御機能を備えたネットワーク装置は、本願の第５の発明の電源起動制御機能を備えたネットワーク装置において、前記外部装置は、前記電源制御手段により電源供給範囲が予め定められた範囲に限定されたスタンバイ状態にあるとき、前記通信手段Ａ２が、前記制御機器から前記第１のネットワークを介して送信される電源起動を指示するコマンドの受信の有無を監視する際に、前記第１のネットワークにより前記制御機器と接続されているか否かの確認を行い、接続されていることが確認された場合には、引き続き電源起動を指示するコマンドの受信の有無を監視し、接続されていないことが確認された場合には、前記通信手段Ｂ２により前記第２のネットワークを用いた前記制御機器からの電源起動を指示するコマンドの受信を可能とすることを特徴とするものである。
【００１８】
また、本願の第１０の発明の電源起動制御機能を備えたネットワーク装置は、本願の第９の発明の電源起動制御機能を備えたネットワーク装置において、前記通信手段Ａ２により、前記制御機器と前記第１のネットワークで接続されていないことが確認された場合には、前記電源制御手段は、前記電源供給範囲を前記通信手段Ａ２および前記電源制御手段に限定した状態から、前記ＣＰＵを搭載したデバイスを含む前記通信手段Ｂ２の一部または全部を包含する範囲に拡大させ、前記通信手段Ａ２により、再び前記制御機器と前記第１のネットワークで接続されていることが確認された場合には、前記電源供給範囲を再び元の前記通信手段Ａ２および前記電源制御手段に限定した状態に戻すことを特徴とするものである。
【００１９】
また、本願の第１１の発明の電源起動制御機能を備えたネットワーク装置は、本願の第１乃至１０のいずれかの発明の電源起動制御機能を備えたネットワーク装置において、前記第１のネットワークは、ＬＡＮ（Ｌｏｃａｌ  Ａｒｅａ  Ｎｅｔｗｏｒｋ）であり、電源起動を指示するコマンドは、ＷＯＬ（Ｗａｋｅ  Ｏｎ  Ｌａｎ）パケットであることを特徴とするものである。
【００２０】
また、本願の第１２の発明の電源起動制御機能を備えたネットワーク装置は、本願の第１乃至１０のいずれかの発明の電源起動制御機能を備えたネットワーク装置において、前記第２のネットワークは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）であることを特徴とするものである。
【００２１】
また、本願の第１３の発明の電源起動制御機能を備えたネットワーク装置は、本願の第４または第９の発明の電源起動制御機能を備えたネットワーク装置において、前記制御機器が、前記外部機器と前記第１のネットワークで接続されているか否かを確認する際の接続確認の手段、および、前記外部機器が、前記制御機器と前記第１のネットワークで接続されているか否かを確認する際の接続確認の手段は、Ｌｉｎｋｕｐによる物理層の通信確認による手段、または、Ｐｉｎｇによるパケット送受信確認による手段であることを特徴とするものである。
【発明の効果】
【００２２】
本発明の電源起動制御機能を備えたネットワーク装置によれば、電源起動の検知にＬＡＮのＷＯＬ（Ｗａｋｅ  Ｏｎ  Ｌａｎ）機能などを用いることで、マイコンなどのＣＰＵを搭載したデバイスを用いずに電源起動のコマンドを検知して電源を起動させることができるので、電源を起動させるまでのスタンバイ時における消費電力の低減を図ることができる。
【００２３】
また、スタンバイ時にＬＡＮの接続を確認し、ＬＡＮによる接続が確認されなかった場合には、マイコンなどのＣＰＵを搭載したデバイスを起動させることで、ＬＡＮの未接続による電源起動制御の失敗を回避することが可能となる。
【発明を実施するための最良の形態】
【００２４】
以下に、本発明を実施するための最良の形態について、図面を参照しながら説明する。
【００２５】
（実施の形態１）
図１は、本発明の実施の形態１に係る電源起動制御機能を備えたネットワーク装置の構成の一例を示す図である。
【００２６】
図１において、電源起動制御機能を備えたネットワーク装置は、制御機器１０１と外部機器１０２で構成され、制御機器１０１と外部機器１０２は、２つのネットワーク、すなわち、ＨＤＭＩインターフェースおよびＬＡＮ（Ｌｏｃａｌ  Ａｒｅａ  Ｎｅｔｗｏｒｋ）インターフェースで接続されている。
【００２７】
外部機器１０２は、制御機器１０１に対して、ＨＤＭＩインターフェースを用いて映像信号の送信を行う。制御機器１０１は、外部機器１０２との間で、ＨＤＭＩインターフェースの中のＣＥＣ（Ｃｏｎｓｕｍｅｒ  Ｅｌｅｃｔｒｏｎｉｃｓ  Ｃｏｎｔｒｏｌ）ラインを用いて機器操作の制御に用いられるＣＥＣフレームの送受信を行い、さらに、ＬＡＮインターフェースを用いてパケットの送受信を行う。
【００２８】
通常、ＨＤＭＩインターフェースのＣＥＣフレームの解析にはマイコンを用いるが、外部機器１０２は、スタンバイの状態にあっても、制御機器１０１から入力される電源起動に関するＣＥＣフレームを判別する為には、マイコンは通電されている必要があるが、このマイコンはＣＰＵを搭載している為に、ＣＰＵを搭載していないデバイスよりも多くの消費電力を必要とするという課題が存在する。
【００２９】
このような課題を解決するために、本発明の実施の形態１においては、外部機器１０２がスタンバイの状態にある場合には、制御機器１０１がＬＡＮインターフェースを用いて電源起動を指示するパケットを外部機器１０２に対して送信し、外部機器１０２が受信した電源起動を指示するパケットを判別して電源を起動させるように構成する。また、外部機器１０２が電源を起動させた後の外部機器１０２に対する制御は、ＨＤＭＩインターフェースのＣＥＣラインを用いて制御するように構成する。
【００３０】
ここで、電源起動を指示するパケットとは、例えば、ＷＯＬ（Ｗａｋｅ  Ｏｎ  ＬＡＮ）対応パケットのことであり、このＷＯＬ対応パケットのパケット識別には、マイコンなどのＣＰＵを搭載したデバイスは必要ではなく、ＷＯＬ対応のＬＡＮコントローラが実装されていれば対応可能となる。
【００３１】
以上のように構成することにより、外部機器１０２は、スタンバイ時にマイコンに通電する必要がないので、消費電力の抑制を図ることができる。
【００３２】
一方で、ＨＤＭＩインターフェースおよびＬＡＮインターフェースは、汎用的なネットワークインターフェースであり、また、使用者が簡単に接続することが可能なインターフェースである為、制御機器１０１と外部機器１０２の接続の組み合わせは固定的なものではない。例えば、使用者により、ＨＤＭＩインターフェースは接続されているが、ＬＡＮインターフェースは接続されていないという接続形態も存在し得る。
【００３３】
更に、制御機器１０１にネットワークで接続される外部機器１０２の中には、ＬＡＮインターフェースによる電源起動に対応していない機種も存在し得るので、制御機器１０１は、ＨＤＭＩインターフェースを用いて外部機器１０２の電源を起動させるか、ＬＡＮインターフェースを用いて外部機器１０２の電源を起動させるか、を判断する仕組みが必要となる。
【００３４】
同様に、外部機器１０２においても、ネットワークで接続される制御機器１０１の中には、ＬＡＮインターフェースによる電源起動に対応していない機種も存在し得るので、スタンバイ時にマイコンを通電させてＨＤＭＩインターフェースからの電源起動で待機するか、ＬＡＮコントローラを通電させてＬＡＮインターフェースからの電源起動で待機するか、を判断する仕組みが必要となる。
【００３５】
なお、図１においては、１つの制御機器１０１に対して１つの外部機器１０２がネットワークで接続されている例を示したが、当然のことながら、１つの制御機器１０１に対して複数の外部機器１０２がそれぞれネットワークを介して接続される場合もあり得る。また逆に、１つの外部機器１０２に対して複数の制御機器１０１がそれぞれネットワークを介して接続される場合もあり得る。
【００３６】
また、図１においては、制御機器１０１と外部機器１０２は、ＨＤＭＩとＬＡＮの２つのネットワークで接続されている例を示したが、これに限るものではなく、他のデジタルインターフェースを有するネットワークであってもかまわないし、特に、ＬＡＮインターフェースに替わるものとしては、マイコンなどのＣＰＵを搭載したデバイスを用いることなくスタンバイ状態から電源を起動させることが可能なネットワークであればよい。
【００３７】
また、図１においては、制御機器１０１と外部機器１０２は、ＨＤＭＩとＬＡＮの２つのネットワークで接続されている例を示したが、３つ以上のネットワークで接続されていてもかまわない。
【００３８】
次に、図２を用いて、制御機器１０１の構成および動作について説明する。なお、図２は、本発明の実施の形態１における制御機器の構成を示すブロック図である。
【００３９】
図２において、制御機器１０１は、映像表示手段２１０、メインマイコン２２０、ＬＡＮ通信手段２３０およびＨＤＭＩ通信手段２４０で構成され、さらに、ＨＤＭＩ通信手段２４０は、サブマイコン２４１と映像受信手段２４２で構成される。
【００４０】
映像表示手段２１０は、外部機器１０２からＨＤＭＩ通信手段２４０の映像受信手段２４２を介して入力される映像信号を表示し、メインマイコン２２０は、制御機器１０１全体の制御を行い、特許請求の範囲に記載の通信手段Ａ１に相当するＬＡＮ通信手段２３０は、自ら備えている接続確認機能により、外部機器１０２と特許請求の範囲に記載の第１のネットワークに相当するＬＡＮインターフェースで接続されているか否かを確認するとともに、メインマイコン２２０から入力されるパケットを、ＬＡＮインターフェースを介して外部機器１０２に送信し、逆に、外部機器１０２から受信したパケットをメインマイコン２２０に転送する。ＬＡＮ通信手段２３０は、さらに、外部機器１０２とのＬＡＮインターフェースによる接続が切れたことを確認した場合には、メインマイコン２２０に対して切断通知を出力する。
【００４１】
特許請求の範囲に記載の通信手段Ｂ１に相当するＨＤＭＩ通信手段２４０は、特許請求の範囲に記載の第２のネットワークに相当するＨＤＭＩインターフェースを介して外部機器１０２から送信される映像信号の受信、および外部機器１０２との間でコマンド信号の送受信を行う。なお、ＨＤＭＩ通信手段２４０においては、映像受信手段２４２が外部機器１０２から送信される映像信号の受信を行い、サブマイコン２４１が外部機器１０２との間でコマンド信号の送受信を行う。
【００４２】
次に、制御機器１０１が、ＨＤＭＩインターフェースを用いて外部機器１０２の電源を起動するか、ＬＡＮインターフェースを用いて外部機器１０２の電源を起動するか、を判断する動作について説明する。
【００４３】
制御機器１０１の電源起動時に、サブマイコン２４１は、ＨＤＭＩインターフェースを介して外部機器１０２との間で機器認証を行う。その機器認証処理の中で、サブマイコン２４１は、外部機器１０２に対して、ＨＤＭＩインターフェースのＣＥＣラインを用いて、外部機器１０２がＬＡＮインターフェースによる電源起動パケットに対応しているか否かの問い合わせを行う。
【００４４】
この問い合わせは、ＣＥＣのＯｐｔｉｏｎフィールドに実装される為、外部機器１０２がＬＡＮインターフェースによる電源起動パケットに対応していない場合は、サブマイコン２４１には外部機器１０２からの返信は送信されてこない。サブマイコン２４１は、該問い合わせを行ったにもかかわらず外部機器１０２から返信されてこない場合には、外部機器１０２がＬＡＮインターフェースによる電源起動パケットに対応してないと判断して、その旨をメインマイコン２２０に通知し、メインマイコン２２０は、外部機器１０２の電源を起動するモードを、ＨＤＭＩインターフェースのＣＥＣラインを用いたＣＥＣ電源起動設定にセットする。
【００４５】
一方、外部機器１０２がＬＡＮインターフェースによる電源起動パケットに対応している場合は、サブマイコン２４１には外部機器１０２から電源起動パケット対応通知が返信され、更に、ＬＡＮインターフェースを用いた外部機器１０２との通信に必要となる、外部機器１０２のＭＡＣ（Ｍｅｄｉａ  Ａｃｃｅｓｓ  Ｃｏｎｔｒｏｌ）アドレスが送られてくる。
【００４６】
サブマイコン２４１は、外部機器１０２から電源起動パケット対応通知を受け取ると、メインマイコンに対して、外部機器１０２がＬＡＮインターフェースによる電源起動パケットに対応している旨を通知するとともに、外部機器１０２から取得したＭＡＣアドレスを転送する。メインマイコン２２０は、サブマイコン２４１から転送され取得した外部機器１０２のＭＡＣアドレスを保存し、外部機器１０２の電源を起動するモードを、ＬＡＮインターフェースを用いたＬＡＮ電源起動設定にセットする。
【００４７】
以上のように構成することにより、制御機器１０１は、ＨＤＭＩインターフェースのＣＥＣラインを用いて、外部機器１０２がＬＡＮインターフェースを用いた電源起動パケットに対応しているか否かを問い合わせることで、ＨＤＭＩインターフェースを用いて外部機器１０２の電源を起動させるか、ＬＡＮインターフェースを用いて外部機器１０２の電源を起動させるか、を判断することが可能となる。
【００４８】
次に、制御機器１０１がＬＡＮインターフェースを用いて外部機器１０２の電源を起動する際の動作について説明する。
【００４９】
まず、図２を用いて、制御機器１０１がＬＡＮインターフェースを用いて外部機器１０２の電源を起動する際の、制御機器１０１を構成する各ブロックの動作について説明する。
【００５０】
メインマイコン２２０は、上述した機器認証処理において、外部機器１０２の電源を起動するモードをＬＡＮ電源起動設定にセットしたか否かを判別する。ＬＡＮ電源起動設定にセットされている場合には、メインマイコン２２０は、ＬＡＮ通信手段２３０から、ＬＡＮインターフェースを介した外部機器１０２との接続が切れたことを示す切断通知が入力されているか否か確認する。切断通知が入力されていない場合には、メインマイコン２２０は、ＬＡＮ通信手段２３０を介して外部機器１０２に電源起動パケットを送信して外部機器１０２の電源を起動し、切断通知が入力されている場合には、サブマイコン２４１に対して、電源起動指示を出力する。
【００５１】
サブマイコン２４１は、メインマイコン２２０から電源起動指示を受け取ると、外部機器１０２に対して、ＣＥＣラインを用いて電源起動のコマンドを格納したＣＥＣフレームを出力し、外部機器１０２の電源を起動させる。
【００５２】
また、上述した機器認証処理において、ＣＥＣ電源起動設定にセットされている場合においては、メインマイコン２２０は、サブマイコン２４１に対して電源起動指示を出力し、メインマイコン２２０から電源起動指示を受け取ったサブマイコン２４１は、ＣＥＣラインを用いて外部機器１０２に対して電源起動のコマンドを格納したＣＥＣフレームを出力し、外部機器１０２の電源を起動させる。
【００５３】
次に、図３を用いて、制御機器１０１が外部機器１０２の電源を起動する際の処理の流れを説明する。なお、図３は、本発明の実施の形態１において制御機器が外部機器の電源を起動する際の処理の流れを示すフローチャートである。
【００５４】
図３において、制御機器１０１は、外部機器１０２の電源起動制御を開始し（Ｓ３０１）、機器認証処理においてセットされたモードがＬＡＮ電源起動設定であるか否かを判別する（Ｓ３０２）。ステップＳ３０２において、ＬＡＮ電源起動設定であると判別された場合（ステップＳ３０２においてＹＥＳの場合）には、メインマイコン２２０は、ＬＡＮ通信手段２３０に対して、ＬＡＮインターフェースを介して外部機器１０２と接続されているか否かの確認を行う（Ｓ３０３）。
【００５５】
ステップＳ３０３において、ＬＡＮインターフェースを介して外部機器１０２と接続されていると確認された場合（ステップＳ３０３においてＹＥＳの場合）には、メインマイコン２２０は、ＬＡＮ通信手段２３０を介してＬＡＮインターフェースから外部機器１０２に対して電源起動パケットを送信し（Ｓ３０４）、電源起動パケットを受信した外部機器１０２からＨＤＭＩインターフェースを介して電源起動完了通知を受信したか否かを確認する（Ｓ３０５）。
【００５６】
ステップＳ３０５において、電源起動完了通知を受信したことを確認した場合（ステップＳ３０５においてＹＥＳの場合）は、外部機器１０２の電源起動制御を終了し（Ｓ３０６）、電源起動完了通知を受信したことを確認できない場合（ステップＳ３０５においてＮＯの場合）は、電源起動完了通知を受信したことが確認できるまで、電源起動完了通知を受信したか否かの確認を繰り返す。
【００５７】
一方、ステップＳ３０２において、セットされた電源起動設定のモードがＬＡＮ電源起動設定でなくＣＥＣ電源起動設定であった場合（ステップＳ３０２においてＮＯの場合）、もしくは、ステップＳ３０３において、制御機器１０１がＬＡＮインターフェースで外部機器１０２と接続されていない場合（ステップＳ３０３においてＮＯの場合）には、メインマイコン２２０は、サブマイコン２４１を介して、ＨＤＭＩインターフェースのＣＥＣラインを用いて電源起動コマンドを外部機器１０２に送信し（Ｓ３０７）、電源起動コマンドを受信した外部機器１０２からＨＤＭＩインターフェースを介して電源起動完了通知を受信したか否かを確認し（Ｓ３０５）、電源起動完了通知を受信したことを確認した場合（ステップＳ３０５においてＹＥＳの場合）に外部機器１０２の電源起動制御を終了する（Ｓ３０６）。
【００５８】
以上のように、制御機器１０１が外部機器１０２の電源を起動させることにより、制御機器１０１は、電源起動パケットにて外部機器１０２の電源を起動させる際に、事前にＬＡＮインターフェースの接続確認を行うことで、制御機器１０１と外部機器１０２がＬＡＮインターフェースで接続されていない場合における電源起動の失敗を回避することが可能となる。
【００５９】
なお、制御機器１０１がＬＡＮインターフェースで外部機器１０２と接続されているか否かを確認する手段としては、ＬｉｎｋＵｐによる物理層の接続確認を行う手段、または、ＵＮＩＸ（登録商標）のコマンドの一つであるＰｉｎｇなどのパケットの送受信による接続確認などの手段を挙げることができる。
【００６０】
次に、図４を用いて、本発明の実施の形態１における外部機器１０２の構成について説明する。なお、図４は、本発明の実施の形態１における外部機器の構成を示すブロック図である。
【００６１】
図４において、外部機器１０２は、蓄積手段４１０、メインマイコン４２０、電源制御手段４３０、ＬＡＮ通信手段４４０およびＨＤＭＩ通信手段４５０で構成され、さらに、ＨＤＭＩ通信手段４５０は、サブマイコン４５１と映像送信手段４５２で構成される。なお、図４においては、電源制御手段４３０から各ブロックに供給される電力（電源）の流れを示す電力線は表示していない。
【００６２】
蓄積手段４１０は、映像信号を蓄積し、メインマイコン４２０の指示に従い、映像送信手段４５２を介して制御機器１０１に対して映像信号を出力する。
【００６３】
メインマイコン４２０は外部機器１０２全体の制御を行い、電源制御手段４３０は外部機器１０２の中で電源（電力）を供給する範囲を制御し、特許請求の範囲に記載の通信手段Ａ２に相当するＬＡＮ通信手段４４０は、メインマイコン４２０から入力されるパケットを、ＬＡＮインターフェースを介して制御機器１０１に送信するとともに、メインマイコン４２０に対して、制御機器１０１から受信したパケットを転送し、制御機器１０１とのＬＡＮインターフェースを介する接続が切れた場合には切断通知を出力する。
【００６４】
特許請求の範囲に記載の通信手段Ｂ２に相当するＨＤＭＩ通信手段４５０は、ＨＤＭＩインターフェースを介して、制御機器１０１への映像信号の送信および機器制御のコマンドを格納したＣＥＣフレームの送受信を行い、映像信号の送信を映像送信手段４５２が、ＣＥＣフレームの送受信をサブマイコン４５１が行う。
【００６５】
以上のように構成された外部機器１０２において、外部機器１０２がスタンバイ時に、マイコン（サブマイコン４５１）を通電させてＨＤＭＩインターフェースからの電源起動で待機するか、ＬＡＮコントローラ（ＬＡＮ通信手段４４０）を通電させてＬＡＮインターフェースからの電源起動で待機するか、を判断する動作について説明する。
【００６６】
外部機器１０２の電源起動時に、サブマイコン４５１は、ＨＤＭＩインターフェースを介して制御機器１０１との間で機器認証処理を行う。その機器認証処理の中で、制御機器１０１がＬＡＮインターフェースによる電源起動パケット送信に対応しているか否かを、ＨＤＭＩインターフェースのＣＥＣラインを用いて制御機器１０１に対して問い合わせる。
【００６７】
この問い合わせは、ＣＥＣのＯｐｔｉｏｎフィールドに実装される為、制御機器１０１がＬＡＮインターフェースによる電源起動パケットに対応していない場合には、制御機器１０１からの返信は、外部機器１０２に対して送信されてこない。該問い合わせを行ったにもかかわらず、外部機器１０２に対して制御機器１０１からの返信が届かない場合、サブマイコン４５１は、制御機器１０１がＬＡＮインターフェースによる電源起動パケットに対応してないと判断してその旨をメインマイコン４２０に通知し、メインマイコン４２０は、制御機器１０１がＬＡＮインターフェースによる電源起動パケットに対応していないとの通知をサブマイコン４５１から受け取ると、外部機器１０２の電源を起動するモードを、ＨＤＭＩインターフェースのＣＥＣラインを用いたＣＥＣ電源起動設定にセットする。
【００６８】
一方、制御機器１０１がＬＡＮインターフェースによる電源起動パケットに対応している場合には、制御機器１０１は、外部機器１０２に対して、ＣＥＣラインを用いて電源起動パケットに対応していることを知らせる電源起動パケット対応通知を返信する。それに対し、外部機器１０２のサブマイコン４５１は、ＬＡＮ通信手段４４０に格納されているＭＡＣアドレスを、制御機器１０１に対してＣＥＣラインを用いて通知するとともに、メインマイコン４２０に対して、制御機器１０１から受け取ったＬＡＮインターフェースによる電源起動パケット対応通知を転送する。メインマイコン４２０は、サブマイコン４５１から制御機器１０１からの電源起動パケット対応通知を入力されると、外部機器１０２を電源起動する際のモードを、ＬＡＮインターフェースを用いたＬＡＮ電源起動設定にセットする。
【００６９】
以上のようにして、外部機器１０２は、ＨＤＭＩインターフェースのＣＥＣラインを用いて制御機器１０１に対し、ＬＡＮインターフェースを用いた電源起動パケットに対応しているか否かを問い合わせることで、外部機器１０２が、スタンバイ時に、マイコンを通電させてＨＤＭＩインターフェースからの電源起動で待機するか、ＬＡＮコントローラを通電させてＬＡＮインターフェースからの電源起動で待機するかを決定することができる。
【００７０】
次に、図５を用いて、外部機器１０２がスタンバイ状態に移行する際に、電源制御手段４３０が決定する電源供給範囲の決定手順について説明する。なお、図５は、外部機器がスタンバイ状態に移行する際の電源供給範囲の決定手順を示すフローチャートである。
【００７１】
図５において、まず、外部機器１０２はスタンバイ状態への移行を開始し（Ｓ５０１）、上述した機器認証処理の際にＬＡＮ電源起動設定にセットされているか否かを判別する（Ｓ５０２）。
【００７２】
ステップＳ５０２において、ＬＡＮ電源起動設定にセットされていると判別した場合（ステップＳ５０２においてＹＥＳの場合）には、スタンバイ時における外部機器１０２の電源供給先をＬＡＮ通信手段４４０および電源制御手段４３０とし（Ｓ５０３）、スタンバイ状態への移行を終了する（Ｓ５０５）。
【００７３】
一方、ステップＳ５０２において、ＬＡＮ電源起動設定にセットされていないと判別した場合（ステップＳ５０２においてＮＯの場合）には、スタンバイ時における外部機器１０２の電源供給先をサブマイコン４５１および電源制御手段４３０とし（Ｓ５０４）、スタンバイ状態への移行を終了する（Ｓ５０５）。
【００７４】
次に、スタンバイ時における外部機器１０２の動作について説明する。まず、図４を用いて、外部機器１０２を構成する各ブロックの動作について説明する。
【００７５】
図４において、スタンバイ時の電源起動の設定がＣＥＣ電源起動設定であった場合には、特許文献１に開示されている従来の方法と同様に、スタンバイ時は電源制御手段４３０からサブマイコン４５１に電源が供給され、サブマイコン４５１は、ＨＤＭＩインターフェースのＣＥＣラインからの電源起動コマンドが格納されたＣＥＣフレームを受信すると、電源制御手段４３０に電力起動指示を通知し、サブマイコン４５１から電力起動指示の通知を受け取った電源制御手段４３０は、外部機器１０２全体の電源起動処理に入る。
【００７６】
一方、スタンバイ時の電源起動の設定がＬＡＮ電源起動設定であった場合には、スタンバイ時は電源制御手段４３０からＬＡＮ通信手段４４０に電源が供給される。ＬＡＮ通信手段４４０は、制御機器１０１から電源起動パケットを受信したか否かの監視を行い、電源起動パケットを受信した場合には、電源制御手段４３０に電力起動指示を通知する。電源制御手段４３０は、ＬＡＮ通信手段４４０から電力起動指示を受け取ると、外部機器１０２全体の電源起動処理に入る。
【００７７】
また、ＬＡＮ通信手段４４０は、ＬＡＮインターフェースで制御機器１０１と接続されているか否かの確認を行い、制御機器１０１とのＬＡＮインターフェースでの接続が確認できない場合には、切断通知を電源制御手段４３０に送信する。電源制御手段４３０は、ＬＡＮ通信手段４４０から切断通知を受け取ると、ＬＡＮ通信手段４４０に加えてＨＤＭＩ通信手段４５０の一部であるサブマイコン４５１に対して電力を供給する。サブマイコン４５１は、電源制御手段４３０から電力を供給されると、制御機器１０１から送信される電源起動コマンドが格納されたＣＥＣフレームの受信の有無を監視する。
【００７８】
以上のような状況において、ＬＡＮ通信手段４４０は、制御機器１０１とのＬＡＮインターフェースでの接続を確認した場合には、電源制御手段４３０に対して接続通知を送信し、接続通知を受信した電源制御手段４３０は、電源供給先（電源供給範囲）をＬＡＮ通信手段４４０のみに戻す。
【００７９】
次に、図６を用いて、外部機器１０２がスタンバイ時の電源（電力）供給範囲の決定手順について説明する。なお、図６は、外部装置がＬＡＮ電源起動設定にセットされた場合におけるスタンバイ時の電源供給範囲の決定手順を示すフローチャートである。
【００８０】
図６において、スタンバイ状態が開始され（Ｓ６０１）、外部機器１０２は、ＬＡＮインターフェースで制御機器１０１と接続されているか否かの確認を行う（Ｓ６０２）。
【００８１】
ステップＳ６０２において、ＬＡＮインターフェースで接続されていると確認された場合（ステップＳ６０２においてＹＥＳの場合）には、外部機器１０２は、ＬＡＮ通信手段４４０および電源制御手段４３０に電源供給を行い（Ｓ６０３）、ステップＳ６０２に戻って、引き続きＬＡＮインターフェースで制御機器１０１と接続されているか否かの確認を行う。
【００８２】
一方、ステップＳ６０２において、ＬＡＮインターフェースで接続されていないと確認された場合には、外部機器１０２は、サブマイコン４５１および電源制御手段４３０に電源（電力）供給を行い（Ｓ６０４）、ステップＳ６０２に戻って、引き続きＬＡＮインターフェースで制御機器１０１と接続されているか否かの確認を行う。
【００８３】
次に、図７を用いて、外部機器１０２が、ＬＡＮ電源起動設定にセットされた場合において、スタンバイ時に電源投入パケットを受信した際の電源起動手順について説明する。なお、図７は、外部機器がＬＡＮ電源起動設定にセットされた場合において、電源投入パケットを受信した際のスタンバイ状態から電源起動までの処理の流れを示すフローチャートである。
【００８４】
図７において、スタンバイが開始される（Ｓ７０１）と、外部機器１０２における電源供給先は、電源制御手段４３０とＬＡＮ通信手段４４０になる。外部機器１０２は、ＬＡＮインターフェースにより電源起動パケットを受信したか否かを判別し（Ｓ７０２）、電源起動パケットを受信していない場合（ステップＳ７０２においてＮＯの場合）には、引き続き電源起動パケットを受信したか否かの判別を行い、電源起動パケットを受信した場合（ステップＳ７０２においてＹＥＳの場合）には、外部機器１０２全体に電源供給を行い（Ｓ７０３）、電源起動処理を終了する（Ｓ７０４）。
【００８５】
以上のようにして、外部機器１０２は、スタンバイ時から電源起動する際に、ＬＡＮインターフェースを用いた電源起動パケットを用いることで、消費電力の大きいサブマイコン４５１の通電を回避することができ、スタンバイ時の消費電力を低減させることが可能となる。
【００８６】
更に、外部機器１０２は、スタンバイ時にＬＡＮ電源起動設定にセットされている場合においても、ＬＡＮインターフェースで制御機器１０１と接続しているか否かの監視を行い、ＬＡＮインターフェースで制御機器１０１と接続していないと判断した場合には、ＨＤＭＩインターフェースによるＣＥＣラインでの起動モードに切り替えることにより、ＬＡＮインターフェースで制御機器１０１と接続していない場合における電源起動の失敗を回避することが可能となる。
【００８７】
なお、制御機器１０１がＬＡＮインターフェースで外部機器１０２と接続されているか否かを確認する手段としては、ＬｉｎｋＵｐによる物理層の接続確認を行う手段、または、ＵＮＩＸ（登録商標）のコマンドの一つであるＰｉｎｇなどのパケットの送受信による接続確認などの手段を挙げることができる。
【００８８】
以上のように制御機器１０１と外部機器１０２を構成することにより、制御機器１０１が、接続される外部機器１０２の電源起動を、ＬＡＮインターフェースを用いた電源起動パケットにより行うことで、ＨＤＭＩのＣＥＣラインを用いたＣＥＣフレームによる電源起動と比較して、外部機器１０２の省電力を図ることが可能となる。
【００８９】
また、制御機器１０１と外部機器１０２との間で、ＬＡＮインターフェースを用いた電源起動パケットによる電源起動に対応しているか否かの認証、および通信するために必要となるＭＡＣアドレスの情報交換を行うことで、ＬＡＮインターフェースを用いた電源起動パケットによる電源起動に対応していない外部機器が接続された場合であっても、自動的にＨＤＭＩのＣＥＣラインを用いた電源起動に切り替えることで、電源起動の失敗を抑制することが可能となる。
【００９０】
さらに、制御機器１０１と外部機器１０２との間のＬＡＮインターフェースの接続確認を行い、接続されていないことを確認した場合には、自動的にＨＤＭＩのＣＥＣラインを用いた電源起動に切り替えることで、電源起動の失敗を抑制することが可能となる。
【産業上の利用可能性】
【００９１】
本発明の電源起動制御機能を備えたネットワーク装置は、複数のインターフェースを用いて電源起動の制御を行う機器に適用することができる。
【図面の簡単な説明】
【００９２】
【図１】本発明の実施の形態１に係る電源起動制御機能を備えたネットワーク装置の構成の一例を示す図
【図２】本発明の実施の形態１における制御機器の構成を示すブロック図
【図３】本発明の実施の形態１において制御機器が外部機器の電源を起動する際の処理の流れを示すフローチャート
【図４】本発明の実施の形態１における外部機器の構成を示すブロック図
【図５】外部機器がスタンバイ状態に移行する際の電源供給範囲の決定手順を示すフローチャート
【図６】外部装置がＬＡＮ電源起動設定にセットされた場合におけるスタンバイ時の電源供給範囲の決定手順を示すフローチャート
【図７】外部機器がＬＡＮ電源起動設定にセットされた場合において、電源投入パケットを受信した際のスタンバイ状態から電源起動までの処理の流れを示すフローチャート
【図８】特許文献１に開示されている従来の電源起動制御機能を備えたネットワーク装置の構成を示すブロック図
【符号の説明】
【００９３】
１０１  制御機器
１０２  外部機器
２１０  映像表示手段
２２０  メインマイコン
２３０  ＬＡＮ通信手段
２４０  ＨＤＭＩ通信手段
２４１  サブマイコン
２４２  映像受信手段
４１０  蓄積手段
４２０  メインマイコン
４３０  電源制御手段
４４０  ＬＡＮ通信手段
４５０  ＨＤＭＩ通信手段
４５１  サブマイコン
４５２  映像送信手段  
８００  ネットワーク装置
８１０  ネットワークＩ／Ｆ手段
８１１  電源投入要求検知手段
８１２  電源制御手段
８１３  表示手段
８１４  メイン機能手段
８１５  コンテンツ受信再生手段
８１６  コンテンツ配信手段
【図１】
2010206675.tif 000003
【図２】
2010206675.tif 000004
【図３】
2010206675.tif 000005
【図４】
2010206675.tif 000006
【図５】
2010206675.tif 000007
【図６】
2010206675.tif 000008
【図７】
2010206675.tif 000009
【図８】
2010206675.tif 000010